(57)【要約】【課題】取付具の取付忘れを防止することができるとともに内部配線の挟み込みを防止することができる照明器具を提供する。【解決手段】照明器具１０は、器具本体１１は、その長手方向に形成されて取付ボルト２を貫通させる取付ボルト貫通長穴２４と、取付ボルト貫通長穴２４に沿って形成されたスリット２５と、を設け、取付ボルト貫通長穴２４から挿通された取付ボルト２を介して締結される締結穴３０を有するとともにスリット２５に支持されて器具本体１１の長手方向に移動自在なフランジ部２９を有する取付具１４と、器具本体１１の長手方向に移動した取付具１４を固定する取付具固定部材１５と、を備える。【選択図】図３
2010218836.tif 000002
【特許請求の範囲】
【請求項１】
器具本体と、
前記器具本体に保持される蛍光灯と、
を備えて天井面に設けられた取付ボルトに固定される照明器具であって、
前記器具本体は、その長手方向に形成されて前記取付ボルトを貫通させる取付ボルト貫通長穴と、前記取付ボルト貫通長穴に沿って形成されたスリットと、を設け、
前記取付ボルト貫通長穴から挿通された前記取付ボルトを介して締結される締結穴を有するとともに前記スリットに支持されて前記器具本体の長手方向に移動自在なフランジ部を有する取付具と、
前記器具本体の長手方向に移動した前記取付具を固定する取付具固定部材と、
を備えることを特徴とする照明器具。
【請求項２】
前記取付具は、内部配線を収容可能な器具本体からの高さ寸法を有する内部配線収容部を有することを特徴とする請求項１に記載した照明器具。
【請求項３】
前記取付具の前記フランジ部と前記取付具固定部材との間又は前記取付具の前記フランジ部と前記器具本体との間に前記取付具を前記器具本体の所定位置に固定するための固定手段を有することを特徴とする請求項１又は２に記載した照明器具。
【発明の詳細な説明】
【技術分野】
【０００１】
本発明は、例えば天井面に取り付けられる照明器具に関し、天井面の複数種類の取付ボルトに適用できる照明器具に関する。
【背景技術】
【０００２】
従来の照明器具の一例として、２種類の取付ボルト穴を器具本体にそれぞれ設けて、取付ボルトにねじ込まれるナット径よりも幅の小さい係合溝を形成した取付具を取付ボルト穴の近くまでスライドさせるようにした照明器具がある（例えば、特許文献１参照）。
【先行技術文献】
【特許文献】
【０００３】
【特許文献１】実開平５−４１０１８号公報（図１、請求項１）
【発明の概要】
【発明が解決しようとする課題】
【０００４】
通常、天井面に設けられる取付ボルトは、例えば６００mmの第１ピッチで離間したものと、第１ピッチよりも大きい例えば８００mmの第２ピッチで離間しているものが予め設置されている。
【０００５】
そのため、器具本体には、これら２種類の取付ボルトに合わせて２種類の取付ボルト穴を形成するのが一般的である。しかし、これら２種類の取付ボルト穴に対して１対１の関係で取付具を装備することになり、製造時の組み立て作業性の悪化をまねき、コスト高になる虞があった。
【０００６】
仮に、最低必要数の２個のみの取付具を器具に同梱して、施工時に取付具を器具本体に取り付ける仕様にしたとしても、取付具なしでも器具本体に取付ボルトを取付可能な取付ボルト孔が設けてあれば、そのまま施工してしまい取付具の取付を忘れる虞もある。また、取付け忘れをしないように取付ボルトを取り付けられないような大きな穴にしたとしても、取付具を施工時に取り付けしなければならないといった煩わしさが生じ、誤施工の要因になりうるという課題があった。
【０００７】
上記特許文献１に開示された従来の照明器具は、このような課題を解決するために考えられたものである。しかし、それぞれのピッチに合わせた２種類の取付ボルト穴が器具本体にそれぞれ設けられている。
従って、取付具の取付忘れを解消することが難しい。
【０００８】
また、通常、取付ボルトが挿通される取付ボルト穴の周辺には内部配線が引き回される。しかし、上記特許文献１に開示された従来の照明器具では、取付具を取り付けていく際に内部配線を挟み込む虞がある。
従って、取付具により内部配線を挟み込んだ際に電気的な支障を生ずる虞がある。
【０００９】
本発明は、前述した課題を解決するためになされたものであり、その目的は、取付具の取付忘れを防止することができるとともに内部配線の挟み込みを防止することができる照明器具を提供することにある。
【課題を解決するための手段】
【００１０】
本発明に係る照明器具は、器具本体と、前記器具本体に保持される蛍光灯と、を備えて天井面に設けられた取付ボルトに固定される照明器具であって、前記器具本体は、その長手方向に形成されて前記取付ボルトを貫通させる取付ボルト貫通長穴と、前記取付ボルト貫通長穴に沿って形成されたスリットと、を設け、前記取付ボルト貫通長穴から挿通された前記取付ボルトを介して締結される締結穴を有するとともに前記スリットに支持されて前記器具本体の長手方向に移動自在なフランジ部を有する取付具と、前記器具本体の長手方向に移動した前記取付具を固定する取付具固定部材と、を備えることを特徴とする。
【００１１】
本発明においては、第１ピッチにある取付ボルトに対して、器具本体の取付ボルト貫通長穴を第１ピッチの取付ボルトに貫通させ、締結穴を第１ピッチの取付ボルトに合わせながらスリットに支持されている取付具を器具本体の長手方向に移動させる。そして、締結穴を取付ボルトに合わせた位置で取付具固定部材により取付具を器具本体に固定する。同様にして、第２ピッチにある取付ボルトに対しては、器具本体の取付ボルト貫通長穴を第２ピッチの取付ボルトに貫通させ、締結穴を第２ピッチの取付ボルトに合わせながらスリットに支持されている取付具を器具本体の長手方向に移動させ、取付具固定部材により固定する。
これにより、取付ボルト貫通長穴を用いて取付ボルトは締結することができないために、取付ボルト貫通長穴を用いて締結するのではないことを作業者に促す。
従って、取付具の取付忘れを防止することができる。
【００１２】
本発明に係る照明器具は、上記照明器具において、前記取付具は、内部配線を収容可能な器具本体からの高さ寸法を有する内部配線収容部を有することを特徴とする。
【００１３】
本発明においては、器具本体に固定された取付具は器具本体から十分な高さ寸法を有する内部配線収容部を形成する。
これにより、取付ボルトが配置される器具本体の周辺に引き回されている内部配線が内部配線収容部に収容される。
従って、内部配線の挟み込みを防止することができる。
【００１４】
本発明に係る照明器具は、上記照明器具において、前記取付具の前記フランジ部と前記取付具固定部材との間又は前記取付具の前記フランジ部と前記器具本体との間に前記取付具を前記器具本体の所定位置に固定するための固定手段を有することを特徴とする。
【００１５】
本発明においては、固定手段は第１ピッチおよび第２ピッチにある取付ボルトに対応して取付具を位置決めする。
従って、それぞれの位置にある取付ボルトに高い精度で取付具を固定することができる。
【発明の効果】
【００１６】
本発明の照明器具によれば、器具本体は、その長手方向に形成されて取付ボルトを貫通させる取付ボルト貫通長穴と、取付ボルト貫通長穴に沿って形成されたスリットと、を設け、取付ボルト貫通長穴から挿通された取付ボルトを介して締結される締結穴を有するとともにスリットに支持されて器具本体の長手方向に移動自在なフランジ部を有する取付具と、器具本体の長手方向に移動した取付具を固定する取付具固定部材と、を備えた。
これにより、取付具の取付忘れを防止することができるとともに内部配線の挟み込みを防止することができるという効果を有する。
【図面の簡単な説明】
【００１７】
【図１】本発明に係る第１実施形態の照明器具の天井取付状態の外観斜視図
【図２】図１の照明器具の分解斜視図
【図３】図１の照明器具の取付具の組み付け前の外観斜視図
【図４】図１の照明器具に適用される取付具の外観斜視図
【図５】図１の照明器具の取付具の組み付け後の外観斜視図
【図６】図５の照明器具の垂直断面図
【図７】図６の固定手段周りの拡大図
【図８】図１の照明器具の固定手段の作用を説明する外観斜視図
【図９】図１の照明器具の取付具の作用を説明する外観斜視図
【図１０】本発明に係る第１実施形態の照明器具に適用される固定手段の第１変形例の垂直断面図
【図１１】本発明に係る第１実施形態の照明器具に適用される固定手段の第２変形例の垂直断面図
【図１２】本発明に係る第１実施形態の照明器具に適用される固定手段の第３変形例の垂直断面図
【図１３】本発明に係る第２実施形態の照明器具の取付具の組み付け後の外観斜視図
【発明を実施するための形態】
【００１８】
以下、本発明の複数の実施形態に係る照明器具について図面を参照して説明する。
【００１９】
（第１実施形態）
本発明の第１実施形態である照明器具１０は、器具本体１１と、器具本体１１に固定される反射板１２と、器具本体１１に保持される２本の直管蛍光灯１３と、取付具１４と、
一対の取付具固定部材１５と、を備え、天井面１に設けられた一対の取付ボルト２に固定される天井直付型の照明器具である。
【００２０】
図１に示すように、天井面１には矩形の施工穴３が設けられており、施工孔３の内部から床面に向けて取付ボルト２がそれぞれ突出している。施工穴３の内部からは外部配線４が引き出されている。取付ボルト２にはワッシャ５を介してナット６がねじ込まれる。
【００２１】
図２に示すように、器具本体１１は、金属製板部材を断面視コ字形状に折り曲げ成形されている。器具本体１１は天板１６と一対の側板１７とを有する。
【００２２】
器具本体１１には、ソケット台１８とソケット１９と反射板取付板２０と安定器２１とが取付けられている。
【００２３】
ソケット台１８は器具本体１１の両端部に一対で組み付けられており、それぞれに二対のソケット１９を固定している。ソケット１９には直管蛍光灯１３がそれぞれ装着される。ソケット１９は内部配線（図６参照）２２を通じて安定器２１に電気的に接続されている。
【００２４】
反射板取付板２０は器具本体１１のソケット台１８の中央寄りにそれぞれ固定されている。反射板取付板２０にはツマミネジ２３により反射板１２が固定される。
【００２５】
安定器２１は器具本体１１の天板１６の中央部に固定されている。安定器２１は器具本体１１上で内部配線２２を通じてソケット１９に電気的に接続される一方、外部配線４に電気的に接続される。
【００２６】
図３、図４に示すように、器具本体１１は、その天板１６の安定器２１の両側部に、長手方向に沿って一対の取付ボルト貫通長穴２４と取付ボルト貫通長穴２４に沿って形成された一対のスリット２５とを設けている。
【００２７】
器具本体１１は、その側板１７の取付ボルト貫通長穴２４に対応した位置に取付具固定部材１５をねじ止めするためのネジ穴２６を有する。
【００２８】
取付ボルト貫通長穴２４は取付ボルト２の外径寸法よりも十分に大きい内径寸法を有すために取付ボルト２を貫通させる。
【００２９】
取付具１４は、器具本体１１と同等の金属製板部材を折り曲げ成形されることにより底板２７と底板２７に接続されている中間板２８を介してから側方に延出された一対のフランジ部２９とを有する。
【００３０】
底板２７の中央部には取付ボルト２の外径寸法よりもわずかに大きい内径寸法を有する締結穴３０が形成されている。
【００３１】
フランジ部２９には固定手段の一方を構成する取付具位置決め用係合穴３１がそれぞれ形成されている。
【００３２】
取付具１４は、例えば器具本体１１の下方から、そのフランジ部２９を器具本体１１のスリット２５にそれぞれ挿通される。これにより、取付具１４はスリット２５の長さに応じたストロークで器具本体１１の長手方向に移動して締結穴３０の位置を器具本体１１の長手方向に任意に変位させることができる。
【００３３】
取付具固定部材１５は、器具本体１１と同等の金属製板部材を折り曲げ成形されることにより側板３２と側板３２の上端から直角に折り曲げ成形された取付具押え板３３とを有する。
【００３４】
側板３２には器具本体１１の側板１７に形成されているネジ穴２６に対してネジ３４をねじ込ませるためのネジ挿通穴３５を有する。
【００３５】
取付具押え板３３は器具本体１１のスリット２５の上部において取付具１４のフランジ部２９に当接する。
【００３６】
図５に示すように、取付具固定部材１５は側板３２のネジ挿通穴３５を介してネジ３４が器具本体１１の側板１７にねじ込まれる。これにより、取付具固定部材１５は、その取付具押え板３３を取付具１４のフランジ部２９にそれぞれ圧接させることにより、取付具１４を器具本体１１の所定位置に固定する。
【００３７】
図６に示すように、取付具固定部材１５により器具本体１１に固定された取付具１４は器具本体１１の側板１７と器具本体１１の天板１６と取付具１４の中間板２８とに囲まれた空間状の内部配線収容部３６を形成している。そして、安定器２１からソケット１９に電気的に接続される内部配線２２を内部配線収容部３６に収容している。
【００３８】
取付具１４は、取付ボルト２に器具本体１１の取付ボルト貫通長穴２４を貫通させてから取付ボルト２に底板２７の締結穴３０を挿通させ、取付ボルト２に底板２７の下部でワッシャ５を挿通させ、取付ボルト２にナット６をねじ込む。これにより、取付具１４が取付ボルト２に固定される。
【００３９】
このとき、安定器２１からソケット１９に電気的に接続される内部配線２２はワッシャ５およびナット６から十分に離れた内部配線収容部３６に収容されている。
これにより、内部配線２２はワッシャ５およびナット６による挟み込みを防止されて配策されることになる。
【００４０】
図７、図８に示すように、器具本体１１の天板１６には、スリット２５の側板１７側に固定手段の他方を構成する取付具位置決め用係合突起３７がそれぞれ形成されている。
【００４１】
取付具位置決め用係合突起３７は、内側の二対が例えば６００mmの第１ピッチＰ１に対応しており、外側の二対が例えば８００mmの第２ピッチＰ２に対応している。
【００４２】
図９に示すように、取付具１４は、第１ピッチＰ１にある取付ボルト２に器具本体１１の取付ボルト貫通長穴２４を貫通させてから取付ボルト２に底板２７の締結穴３０を挿通させる。
【００４３】
次に、取付ボルト２に締結穴３０を合わせた取付具１４のフランジ部２９の取付具位置決め用係合穴３１を器具本体１１の取付具位置決め用係合突起３７に係合される。これにより、取付具１４は器具本体１１に位置決めされる。
【００４４】
そして、取付ボルト２に締結穴３０を合わせて位置決めされている取付具１４に対し、取付具固定部材１５の側板３２のネジ挿通穴３５を介してネジ３４を器具本体１１の側板１７にねじ込ませる。これにより、取付具１４が取付具固定部材１５により器具本体１１の所定位置に固定される。
【００４５】
続いて、取付ボルト２に底板２７の下部でワッシャ５を挿通させ、取付ボルト２にナット６をねじ込む。これにより、第１ピッチＰ１にある取付ボルト２に器具本体１１が固定される。
【００４６】
これに対して、第２ピッチＰ２にある取付ボルト２に器具本体１１を固定するに際しては、第２ピッチＰ２にある取付ボルト２に対して取付具１４を器具本体１１の長手方向に移動させてから、上記と同様の取り付け作業を行うだけである。もちろん、取付ボルト２に締結穴３０を合わせた取付具１４のフランジ部２９の取付具位置決め用係合穴３１を器具本体１１の取付具位置決め用係合突起３７に係合されることにより、第２ピッチＰ２にある取付ボルト２に対して取付具１４が位置決めされる。
【００４７】
図１０に示すように、本発明に係る第１実施形態の照明器具１０に適用される固定手段の第１変形例では、器具本体１１の天板１６に固定手段の一方を構成する取付具位置決め用係合穴３８をそれぞれ形成しており、取付具１４のフランジ部２９に固定手段の他方を構成する取付具位置決め用係合突起３９をそれぞれ形成している。
【００４８】
図１１に示すように、本発明に係る第１実施形態の照明器具１０に適用される固定手段の第２変形例では、取付具１４のフランジ部２９に固定手段の一方を構成する取付具位置決め用係合突起４０をそれぞれ形成しており、取付具固定部材１５の取付具押え板３３に固定手段の他方を構成する取付具位置決め用係合穴４１をそれぞれ形成している。
【００４９】
図１２に示すように、本発明に係る第１実施形態の照明器具１０に適用される固定手段の第３変形例では、取付具固定部材１５の取付具押え板３３に固定手段の他方を構成する取付具位置決め用係合突起４２をそれぞれ形成しており、取付具１４のフランジ部２９に固定手段の他方を構成する取付具位置決め用係合穴４３をそれぞれ形成している。
【００５０】
第１実施形態の照明器具１０では、第１ピッチＰ１にある取付ボルト２に対して、器具本体１１の取付ボルト貫通長穴２４を第１ピッチＰ１の取付ボルト２に貫通させ、締結穴３０を第１ピッチＰ１の取付ボルト２に合わせながらスリット２５に支持されている取付具１４を器具本体１１の長手方向に移動させる。そして、締結穴３０を取付ボルト２に合わせた位置で取付具固定部材１５により取付具１４を器具本体１１に固定する。同様にして、第２ピッチＰ２にある取付ボルト２に対しては、器具本体１１の取付ボルト貫通長穴２４を第２ピッチＰ２の取付ボルト２に貫通させ、締結穴３０を第２ピッチＰ２の取付ボルト２に合わせながらスリット２５に支持されている取付具１４を器具本体１１の長手方向に移動させ、取付具固定部材１５により固定する。
これにより、取付ボルト貫通長穴２４を用いて取付ボルト２は締結することができないために、取付ボルト貫通長穴２４を用いて締結するのではないことを作業者に促す。
従って、取付具１４の取付忘れを防止することができる。
【００５１】
第１実施形態の照明器具１０では、器具本体１１に固定された取付具１４は器具本体１１から十分な高さ寸法を有する内部配線収容部３６を形成する。
これにより、取付ボルト２が配置される器具本体１１の周辺に引き回されている内部配線２２が内部配線収容部３６に収容される。
従って、内部配線２２の挟み込みを防止することができる。
【００５２】
第１実施形態の照明器具１０では、固定手段３１、３７、３８、３９、４０、４１、４２、４３は第１ピッチＰ１および第２ピッチＰ２にある取付ボルト２に対応して取付具１４を位置決めする。
従って、それぞれの位置にある取付ボルト２に高い精度で取付具１４を固定することができる。
【００５３】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００５４】
図１３に示すように、本発明の第２実施形態の照明器具５０は、器具本体１１の側板１７の取付ボルト貫通長穴２４に対応した位置を切り起こすことによりフランジ部２９に圧接する取付具固定部材となる取付具固定部５１を一体に形成した。
【００５５】
第２実施形態の照明器具５０は、第１実施形態と同様の作用効果を奏する。特に、本実施形態では、取付具固定部を一体に形成してねじ止めを行わない。
従って、ネジを不要としてコスト面を良好にすることができるとともに作業性を良好にすることができる。
【００５６】
なお、前記各実施形態で使用した反射板１２、直管蛍光灯１３等は例示したものに限定するものではなく適宜変更が可能である。
【符号の説明】
【００５７】
１  天井面
２  取付ボルト
１０、５０  照明器具
１１  器具本体
１３  直管蛍光灯（蛍光灯）
１４  取付具
１５  取付具固定部材
２２  内部配線
２４  取付ボルト貫通長穴
２５  スリット
２９  フランジ部
３０  締結穴
３１、３８、４１、４３  取付具位置決め用係合穴（固定手段）
３６  内部配線収容部
３７、３９、４０、４２  取付具位置決め用係合突起（固定手段）
５１  取付具固定部（取付具固定部材）
【図１】
2010218836.tif 000003
【図２】
2010218836.tif 000004
【図３】
2010218836.tif 000005
【図４】
2010218836.tif 000006
【図５】
2010218836.tif 000007
【図６】
2010218836.tif 000008
【図７】
2010218836.tif 000009
【図８】
2010218836.tif 000010
【図９】
2010218836.tif 000011
【図１０】
2010218836.tif 000012
【図１１】
2010218836.tif 000013
【図１２】
2010218836.tif 000014
【図１３】
2010218836.tif 000015